(57)【要約】【課題】  コ−ド選択ＣＤＭＡにおいて、データ受信時におけるコード選択による選択誤りを防ぐ無線通信装置を提供する。【解決手段】  コ−ド選択ＣＤＭＡにおいて、入力データの中で所定のビット数のデ−タに誤り訂正符号化を実行し、誤り訂正符号化した値に対してコード選択を実行し、データを送信する。また、受信時には、誤り訂正し、さらに消失訂正を実行することで、コード選択による選択誤りを防ぎ受信性能を向上させる無線通信装置である。【選択図】  図２
2008085870.tif 000002
【特許請求の範囲】
【請求項１】
コ−ド選択ＣＤＭＡ方式を用いた無線送受信装置であって、
外部から入力されたデータの中から所定のビット数を有するデータに対して誤り訂正符号化を実行する符号化部と、
訂正符号化を実行された前記データに応じたコードを選択するコード選択部とを有し、
外部から入力されたデータの中から前記所定のビット数を有するデータを除いたデータと前記コードとを用いて無線通信を行うことを特徴とする無線送受信装置。
【請求項２】
コ−ド選択ＣＤＭＡ方式を用いた無線送受信装置であって、
外部から入力された受信データとの相関が最も高いコードを検索し、前記コードに応じた軟判定データを出力する相関部と、
前記軟判定データの誤り訂正を実行して復号データとして出力し、さらに前記復号データに対して誤り訂正符号化を実行し補正パリティデータとして出力する復号部とを有し、
前記相関部は、前記受信データと前記復号データと前記補正パリティデータとを用いて復号ビートを出力することを特徴とする無線送受信装置。
【請求項３】
前記軟判定データに対して、消失訂正復号を用いて誤り訂正箇所を特定可能なイレイザー部をさらに有することを特徴とする請求項２記載の無線送受信装置。
【請求項４】
コ−ド選択ＣＤＭＡ方式を用いた無線通信方式において、
外部から入力されたデータの中から所定のビット数を有するデータに対して誤り訂正符号化を実行し、
訂正符号化を実行された前記データに応じたコードを選択し、
外部から入力されたデータの中から前記所定のビット数を有するデータを除いたデータと前記コードとを用いて無線通信を行うことを特徴とする無線通信方式。
【請求項５】
コ−ド選択ＣＤＭＡ方式を用いた無線通信方式において、
外部から入力された受信データとの相関が最も高いコードを検索し、
前記コードに応じた軟判定データを出力し、
前記軟判定データの誤り訂正を実行して復号データとして出力し、
前記復号データに対して誤り訂正符号化を実行し補正パリティデータとして出力し、
前記受信データと前記復号データと前記補正パリティデータとを用いて復号ビートを出力することを特徴とする無線通信方式。
【発明の詳細な説明】
【技術分野】
【０００１】
本発明は、コード選択ＣＤＭＡ方式の無線通信システムに用いられる無線送受信装置あるいは無線接続方式に関する。
【背景技術】
【０００２】
次世代の高速無線通信方式としてＯＦＤＭ方式が提唱されている。このＯＦＤＭ方式はマルチコード技術、あるいはマルチキャリア技術を用いて高速無線通信を実現している。しかしながら、マルチコード技術、あるいはマルチキャリア技術を用いる場合、通信速度は高速になる反面、例えば、ＰＡＰＲ（Ｐｅａｋ  ｔｏ  Ａｖｅｒａｇｅ  Ｐｏｗｅｒ  Ｒａｔｉｏ）が大きい、あるいは、無線通信に係る信号処理が複雑になるといった問題が指摘されている。
【０００３】
この問題に対して、ＰＡＰＲを所定の範囲の値にするＢｉｎａｒｙ  ＣＤＭＡ方式が提案されている(例えば、特許文献１参照。）。このＢｉｎａｒｙ  ＣＤＭＡは、変調方式に従って、パルス幅ＣＤＭＡ方式（Ｐｕｌｓｅ  Ｗｉｄｔｈ  ＣＤＭＡ、以下ＰＷ／ＣＤＭＡ方式と称する）、多位相ＣＤＭＡ方式（Ｍｕｌｔｉ  Ｐｈａｓｅ  ＣＤＭＡ、以下ＭＰ／ＣＤＭＡ方式と称する）、コ−ド選択ＣＤＭＡ方式（Ｃｏｄｅ  Ｓｅｌｅｃｔ  ＣＤＭＡ、以下ＣＳ／ＣＤＭＡ方式と称する）に分けられる。
【０００４】
ＣＳ／ＣＤＭＡ方式は、入力されるデータを予め定められたビット数を有する複数のブロック単位で取り扱い、ブロック単位毎にチャネルコ−ドとしての直交コ−ドを一つ割り当てる方式である。従って、ＰＷ／ＣＤＭＡ方式、或いはＭＰ／ＣＤＭＡ方式とは異なり、例えば正常にデータが受信できないといった、複数の端末間の相互干渉に起因する性能低下現象は見られない。
【０００５】
このＣＳ／ＣＤＭＡ方式では、データ受信時において、直交コードのコ−ド選択による誤りを減らすことが特に重要である。これは、複数のビット数に対して直交コードを一つ選択するため、コード選択に誤りがある場合は複数のビットの誤りとなるためである。
【０００６】
しかしながら、従来技術ではこのコード選択の誤りを減らすことができない。
【特許文献１】S.M. Ryu, "Code Select CDMA Modulation and Demodulation Method and Device Thereof," Korea Patent, no.10-2001-0061738, Oct. 2001
【発明の開示】
【発明が解決しようとする課題】
【０００７】
本発明は、データ受信時におけるコ−ド選択の誤りを低減させる無線通信装置或いは無線通信方式を提供する。
【課題を解決するための手段】
【０００８】
本発明の一態様によれば、コ−ド選択ＣＤＭＡ方式を用いた無線送受信装置であって、
外部から入力されたデータの中から所定のビット数を有するデータに対して誤り訂正符号化を実行する符号化部と、訂正符号化を実行された前記データに応じたコードを選択するコード選択部とを有し、外部から入力されたデータの中から前記所定のビット数を有するデータを除いたデータと前記コードとを用いて無線通信を行う無線送受信装置が提供される。
【０００９】
また、本発明の別の一態様によれば、コ−ド選択ＣＤＭＡ方式を用いた無線送受信装置であって、外部から入力された受信データのコードを検索する相関部と、コード検索された前記受信データの誤り訂正を実行する復号部と、前記受信データと誤り訂正を実行された前記受信データとを用いてラストビットを復号する回帰的相関部とを有する無線送受信装置が提供される。
【００１０】
また、本発明の別の一態様によれば、コ−ド選択ＣＤＭＡ方式を用いた無線送受信装置であって、外部から入力された受信データとの相関が最も高いコードを検索し、前記コードに応じた軟判定データを出力する相関部と、前記軟判定データの誤り訂正を実行して復号データとして出力し、さらに前記復号データに対して誤り訂正符号化を実行し補正パリティデータとして出力する復号部とを有し、前記相関部は、前記受信データと前記復号データと前記補正パリティデータとを用いて復号ビートを出力する無線送受信装置が提供される。
【００１１】
また、本発明の別の一態様によれば、コ−ド選択ＣＤＭＡ方式を用いた無線通信方式において、外部から入力されたデータの中から所定のビット数を有するデータに対して誤り訂正符号化を実行し、訂正符号化を実行された前記データに応じたコードを選択し、外部から入力されたデータの中から前記所定のビット数を有するデータを除いたデータと前記コードとを用いて無線通信を行う無線通信方式が提供される。
【００１２】
また、本発明の別の一態様によれば、コ−ド選択ＣＤＭＡ方式を用いた無線通信方式において、外部から入力された受信データとの相関が最も高いコードを検索し、前記コードに応じた軟判定データを出力し、前記軟判定データの誤り訂正を実行して復号データとして出力し、前記復号データに対して誤り訂正符号化を実行し補正パリティデータとして出力し、前記受信データと前記復号データと前記補正パリティデータとを用いて復号ビートを出力する無線通信方式が提供される。
【発明の効果】
【００１３】
本発明によれば、データ受信時におけるコ−ド選択の誤りを訂正する無線通信装置或いは無線通信方式を提供できる。
【発明を実施するための最良の形態】
【００１４】
以下に、図面を参照して、本発明の第１及び第２実施形態を説明する。以下の第１及び
第２実施形態における図面の記載において、同一又は類似の部分には同一又は類似の符号
を付している。
【００１５】
（第１の実施形態）
図１は、本発明の第１の実施形態を示す無線送受信装置である。
【００１６】
本実施形態は、図１に示すように、データ処理部１、データ送受信部２、ＲＦ（Ｒａｄｉｏ  Ｆｒｅｑｕｅｎｃｙ）部３、アンテナ４を有する。データ送受信部２は、送信部５及び受信部６を有する。
【００１７】
データ処理部１はデータ送受信部２と接続される。データ送受信部２はＲＦ部３と接続される。ＲＦ部３はアンテナ４と接続される。
【００１８】
データ処理部１は、例えばデジタルプロセッサや通信専用チップといった、デジタル形式のデータを処理する回路である。
【００１９】
送受信部２の送信部５は、データ処理部１から入力されたデジタル形式のデータを、無線通信に適した形式に変換し、送信信号としてＲＦ部３に出力する回路である。また、送受信部２の受信部６は、ＲＦ部３から入力された受信データを、デジタル形式のデータに変換し、デジタル処理部に出力する回路である。この送信部５及び受信部６については、以降に詳しく説明する。
【００２０】
ＲＦ部３は、無線通信に係る搬送波の処理を行う回路である。例えば、送信部５から入力された送信信号を搬送波に重畳させ、アンテナ４に出力する回路である。また、例えば、アンテナ４から受信したデータから搬送波成分を除去し、受信部６に出力する回路である。
【００２１】
次に、図２を用いて送信部５について説明する。
【００２２】
図２は、送信部５のブロック構成を示した図である。図２に示すように、送信部５は、シリアルパラレル変換部１０、符号化部１１、コード選択部１２、拡散部１３、逆高速フーリエー変換部１４を有する。
【００２３】
シリアルパラレル変換部１０は、データ処理部１、符号化部１１、及び拡散部１３とに接続される。
【００２４】
シリアルパラレル変換部１０は、シリアル形式の２進情報ビット系列を並び替え、パラレル形式のデータとして出力する。２進情報ビット系列とは、例えば０と１の羅列である、１ビットの符号系列である。まず、本実施形態では、データ処理装置１からシリアルパラレル変換部１０に、所定のビット数Ｎを有する２進情報ビット系列のデータが入力される。
【００２５】
このＮは、Ｎ＝ｋ＊（ｑ＋１）＋（ｎ−ｋ）で算出される値である。ｋは、後に説明するビット系列ｉのブロック数である。ｑはビット系列ｉの各々のブロックが有するビット数である。ｎは後に説明する（ｎ，ｋ）ＲＳ符号のｎに相当する。また、ｑの値に応じて直交コードの数が定められる。
【００２６】
次に、パラレル形式のデータについて説明する。シリアルパラレル変換部１０は、入力されたＮビットのデータを、ｎ個のビート郡ａ（ａ＝ａ０乃至ａｎ−１）と、Ｎからｎ個のビート群を除いた残りのビットであるビット系列ｉに分けて出力する。ａ０乃至ａｎ−１のビート郡は各々１ビット有する。従って、ビット系列ｉは、（Ｎ−ｎ）ビット有する。また、ａ０乃至ａｎ−１のビート郡は拡散部１３に出力される。ビット系列ｉは符号化部１１に出力される。
【００２７】
ビット系列ｉは、予め定められたｋ個のブロックに分けられる。また、各々のブロックは予め定められたｑ個のビット数を有する。また、ビット系列ｉの各々１ビットは、ｉｓ，ｔで示される。ｓはブロックを示し、ｔはブロックの中のビット数を示す。ｓは０からｋ−１に至るいずれか１つの数である。ｔは０からｑ−１に至るいずれか1つの数である。
【００２８】
符号化部１１は、シリアルパラレル変換部１０から出力されたビット系列ｉに誤り訂正符号化を実行し、パリティ系列ｂ（ｂ＝ｂ０乃至ｂｎ−１）としてコード選択部１２に出力する回路である。本実施形態では、誤り訂正符号化として、シンボル単位で訂正を行う（ｎ＝２ｑ，ｋ）のＲＳ（Ｒｅｅｄ−Ｓｏｌｏｍｏｎ）符号化を用いる。ｎは送信シンボル数、ｋは送信シンボルのうちの情報シンボル数を表す。このとき、（ｎ，ｋ）ＲＳ符号の最大エラー訂正数Ｅは、Ｅ＝（ｎ−ｋ）／２を満たす。すなわち、Ｅ個までのシンボル誤りを訂正することができる。
【００２９】
コード選択器１２は、合計ｎ個あり、各々のコード選択器１２には、符号化部１１より出力されたｎ個のパリティ系列ｂの中で、ｂ０乃至ｂｎ−１のいずれか１つが入力される。コード選択器１２は、パリティ系列ｂの値に相当する直交コードを１つ選択し、ｂ０乃至ｂｎ−１に応じて直交コードｃ（ｃ０乃至ｃｎ−１）として出力する。尚、直交コードとは、ビットの入力に応じてユニークに決められる数のことで、本実施形態では、２ｑのビット数を有する２進情報ビット系列であり、予め用意されている。
【００３０】
拡散部１３は、直交コードｃ（ｃ＝ｃ０乃至ｃｎ−１）のいずれか１つとビート群ａ（ａ＝ａ０乃至ａｎ−１）のいずれか１つが入力され、拡散し、拡散データｘ（ｘ＝ｘ０乃至ｘｎ−１）を出力する。拡散データｘはｎ個のサブキャリアのいずれか１つの周波数と変調して出力する。
【００３１】
逆高速フーリエー変換部１４は、０乃至ｎ−１個の拡散部１３から、ｘ０乃至ｘｎ−１に至る全ての拡散データｘが入力され、逆高速フーリエー変換を実行し１つの送信信号としてＲＦ部に出力する。
【００３２】
以上に説明した通り、送信部５は、先ずＮビットの２進情報ビット系列のデ−タをビート群ａ（ａ＝ａ０乃至ａｎ−１）とビット系列ｉ（ｉ＝ｉ０，０乃至ｉｋ−１，ｑ−１）とに分ける。次に、ビット系列ｉに対して誤り訂正符号化を実行し、パリティビット系列ｂ（ｂ＝ｂ０，０乃至ｂｎ−１，ｑ−１）として出力する。次に、パリティビット系列ｂに対して２ｑ個の直交コードの中から１つを選択し、直交コードｃ（ｃ＝ｃ０乃至ｃｎ−１）として出力する。次に、直交コードｃとビート群ａとを拡散し、拡散データｘ（ｘ＝ｘ０乃至ｘｎ−１）として出力する。次に、拡散データｘを逆高速フーリエー変換し、送信信号として出力する。
【００３３】
次に、図３および図４を用いて受信部６について説明する。
【００３４】
図３は、受信部６のブロック構成を示した図である。図４は、相関部２１のブロック構成を示した図である。図３に示すように、受信部６は、高速フーリエー変換部２０、相関部２１、復号部２２、パラレルシリアル変換部２３を有する。相関部２１は、図４に示す通り、さらにサブ相関部２５、及びデータ変換部２６を有する。
【００３５】
高速フーリエー変換部２０は、ＲＦ部３、及び相関部２１とに接続される。高速フーリエー変換部２０は、ＲＦ部３から出力された受信データに高速フーリエー変換を実行し、ｎ個のデータＸ（Ｘ＝Ｘ０乃至Ｘｎ−１）を相関部２１に出力する。
【００３６】
相関部２１は、高速フーリエー変換部２０、復号部２２、及びパラレルシリアル変換部２３とに接続される。先ず、相関部２１は、高速フーリエー変換部２０から出力されたデータＸのいずれか１つが入力され、逆拡散を実行し、送信時にコード選択に用いられた最も確からしいビット系列である軟判定系列Ｂ（Ｂ＝Ｂ０，０乃至Ｂｎ−１，ｑ−１）を復号部２２に出力する。この逆拡散とは、先に説明したコード選択部１２とは逆に、直交コードからビット系列を出力することである。この逆拡散の手順は次の通りである。まず、入力されたデータＸと、直交コードすべてとの相関関係を算出する。次に、相関関係が最も高い直交コードを用いてビット系列を軟判定系列Ｂとして出力する。
【００３７】
次に、相関部２１は、データＸのいずれか１つと復号部２２から出力された補正パリティ系列ｅ（ｅ＝ｅ０，０乃至ｅｎ−１，ｑ−１）を用いて、復号ビート群Ａ（Ａ＝Ａ０乃至Ａｎ−１）を復元し、パラレルシリアル変換部２３に出力する。この補正パリティ系列ｅについては、後に詳しく説明する。
【００３８】
復号部２２は、相関部２１、及びパラレルシリアル変換部２３とに接続される。復号部２２は、相関部２１から出力された軟判定系列Ｂから、誤り訂正符号の復号を実行し、復号ビット系列Ｉ（Ｉ＝Ｉ０，０乃至Ｉｎ−１，ｑ−１）及び補正パリティ系列ｅ（ｅ＝ｅ０，０乃至ｅｎ−１，ｑ−１）を出力する。復号系列Ｉは、パラレルシリアル変換部２３に出力される。また、補正パリティ系列ｅは、相関部２１に再帰的に出力される。
【００３９】
補正パリティ系列ｅは、復号ビット系列Ｉに対してＲＳ符号化を実行した値である。これはすなわち、軟判定系列Ｂには誤りが含まれている可能性があるが、補正パリティ系列ｅは、誤りが修正されているため、軟判定系列Ｂよりも正確な値となる確率が高い。従って、復号ビート群Ａを復元する場合に、軟判定系列Ｂを用いるよりも補正パリティ系列ｅを用いた方が、より正確な値を復元できる確率が高くなる。
【００４０】
パラレルシリアル変換部２３は、復号部２２から出力された復号ビット系列Ｉと、相関部２１から出力された復号ビート群Ａがパラレルに入力され、シリアルデータとしてデータ処理部１に出力し、２進情報ビット系列を復元する
以上に説明した通り、受信部６は、受信した信号に高速フーリエー変換を実行し、ｎ個のデータＸ（Ｘ＝Ｘ０乃至Ｘｎ−１）に分ける。次に、データＸに対して、逆拡散を実行し、コード選択に用いられた軟判定系列Ｂ（Ｂ＝Ｂ０，０乃至Ｂｎ−１，ｑ−１）を出力する。次に、軟判定系列Ｂに対して、誤り訂正符号の復号を行い、復号ビット系列Ｉ（Ｉ＝Ｉ０，０乃至Ｉｎ−１，ｑ−１）及び補正パリティ系列ｅ（ｅ＝ｅ０，０乃至ｅｎ−１，ｑ−１）を出力する。次に、補正パリティ系列ｅを再帰的に用い、データＸの相関とを用いて、復号ビート群Ａを出力する。次に、復号ビット系列Ｉと復号ビート群Ａとを用いて、２進情報ビット系列を復元する。
【００４１】
本実施形態では、送信時のコード選択部１２におけるコード選択前に、符号化部１１における誤り訂正符号化を実施している。そのため、受信時におけるコード選択による誤り訂正が実行可能であり、正確な受信が可能になる。例えば、無線通信における通信路の特性によっては送信信号のエラーが発生する場合においても、受信時に誤り訂正が可能になる。さらに、送信するデータのビット数が多い場合、受信時のコード選択による誤りが受信データの誤りにつながるが、本実施形態では誤り訂正が可能になる。
【００４２】
また、本実施形態ではビート群を用いる構成であり、ビート群を用いない構成と比較してＰＡＰＲを低減させることが可能になる。
【００４３】
（第１の実施形態の具体例）
次に、第１の実施形態の具体例について、図５及び図６を用いて説明する。図５は、符号化部１１として（７，３）ＲＳ符号化を適用した場合の送信部５の構成である。図６は、図５の送信機に応じた受信部６の構成である。
【００４４】
図５に示す通り、サブキャリア数ｎは７である。入力データは、ｄ０乃至ｄ１５に至る１６ビットである。
【００４５】
まず、送信時の動作を説明する。
【００４６】
シリアルパラレル変換部１０は、入力データを、ｄ０＝ｉ０，０、ｄ１＝ｉ０，１、ｄ２＝ｉ０，２、ｄ３＝ｉ１，０、ｄ４＝ｉ１，１、ｄ５＝ｉ１，２、ｄ６＝ｉ２，１、ｄ７＝２，２、ｄ８＝ａ０、ｄ９＝ａ１、ｄ１０＝ａ２、ｄ１１＝ａ３、ｄ１２＝ａ４、ｄ１３＝ａ５、ｄ１４＝ａ６、ｄ１５＝ａ７、の対応でビット系列ｉとビート群ａに分ける。すなわち、ビット系列ｉは各々３ビットずつ有する３グループに分けられ、ｉ０＝（ｉ０，０、ｉ０，１、ｉ０，２）、ｉ１＝（ｉ１，０、ｉ１，１、ｉ１，２）、ｉ２＝（ｉ２，０、ｉ２，１、ｉ２，２）の対応となる。ビート群ａは、ａ０乃至ａ７の合計７つに分けられる。
【００４７】
次に、符号化部１１は、ビット系列ｉに対して（７，３）ＲＳ符号化を実行し、３個の情報シンボルに対し７個の送信シンボルを有するデータを出力する。すなわち、３個のビット系列ｉ０、ｉ１、ｉ２を基に、ｂ０＝ｉ０、ｂ１＝ｉ１、ｂ２＝ｉ２、ｂ３＝ｐ３、ｂ４＝ｐ４、ｂ５＝ｐ５、ｂ６＝ｐ６のパリティ系列を出力する。ｐ３乃至ｐ６が追加されたシンボルである。
【００４８】
次に、コード選択部１２は、パリティ系列ｂから直交コードｃを選択する。３ビットのｂ０に対して、２３＝８ビット有する直交コードが選択され、直交コードｃ０として出力される。以下、同様に、ｂ１に対してｃ１が、ｂ２に対してｃ２が、ｂ３に対してｃ３が、ｂ４に対してｃ４が、ｂ５に対してｃ５が、ｂ６に対してｃ６が、ｂ７に対してｃ７が出力される。
【００４９】
次に、拡散部１３は、直交コードｃとビート群ａとを拡散して拡散データｘを出力する。８ビットのｃ０に対して、同じ８ビット有する拡散データｘ０として出力される。以下、同様に、ｃ１に対してｘ１が、ｃ２に対してｘ２が、ｃ３に対してｘ３が、ｃ４に対してｘ４が、ｃ５に対してｘ５が、ｃ６に対してｘ６が、ｃ７に対してｘ７が出力される。
【００５０】
次に、逆高速フーリエー変換部１４は、拡散データｘに対して逆高速フーリエー変換を実行し、1つの送信信号として出力する。
【００５１】
引き続き、受信時の動作を説明する。
【００５２】
高速フーリエー変換部２０は、受信信号に高速フーリエー変換を実行し、７個のデータＸに分ける。データＸは各々８ビット有する。
【００５３】
次に、相関部２１は、データＸが入力され、軟判定系列Ｂを出力する。このとき、８ビットのＸ０に対して、３ビット有する軟判定系列Ｂ０が出力される。以下、同様に、Ｘ１に対してＢ１が、Ｘ２に対してＢ２が、Ｘ３に対してＢ３が、Ｘ４に対してＢ４が、Ｘ５に対してＢ５が、Ｘ６に対してＢ６が、Ｘ７に対してＢ７が出力される。
【００５４】
次に、復号部２２は、軟判定系列Ｂに対して復号を実行し、復号ビット系列Ｉと補正パリティ系列ｅを出力する。このとき、７グループの軟判定系列Ｂから、３グループの復号ビット系列Ｉと７グループの補正パリティ系列ｅが出力される。すなわち、復号ビット系列Ｉとして、Ｉ０＝（Ｉ０，０、Ｉ０，１、Ｉ０，２）、Ｉ１＝（Ｉ１，０、Ｉ１，１、Ｉ１，２）、Ｉ２＝（Ｉ２，０、Ｉ２，１、Ｉ２，２）が出力される。また、補正パリティ系列として、ｅ０＝（ｅ０，０、ｅ０，１、ｅ０，２）、ｅ１＝（ｅ１，０、ｅ１，１、ｅ１，２）、ｅ２＝（ｅ２，０、ｅ２，１、ｅ２，２）、ｅ３＝（ｅ３，０、ｅ３，１、ｅ３，２）、ｅ４＝（ｅ４，０、ｅ４，１、ｅ４，２）、ｅ５＝（ｅ５，０、ｅ５，１、ｅ５，２）、ｅ６＝（ｅ６，０、ｅ６，１、ｅ６，２）が出力される。
【００５５】
次に、相関部２１は、補正パリティ系列ｅが入力されて、復号ビート群Ａが出力される。このとき、ｅ０に対してＡ０が出力される。以下、同様に、Ｅ１に対してＡ１が、Ｅ２に対してＡ２が、Ｅ３に対してＡ３が、Ｅ４に対してＡ４が、Ｅ５に対してＡ５が、Ｅ６に対してＡ６が、Ｅ７に対してＡ７が出力される。
【００５６】
次に、パラレルシリアル変換部２３は、復号ビット系列Ｉ及び復号ビート群Ａとを用いて、１６ビットの受信データＤをシリアルに出力する。これはすなわち、Ｄ０＝Ｉ０，０、Ｄ１＝Ｉ０，１、Ｄ２＝Ｉ０，２、Ｄ３＝Ｉ１，０、Ｄ４＝Ｉ１，１、Ｄ５＝Ｉ１，２、Ｄ６＝Ｉ２，０、Ｄ７＝Ｉ２，１、Ｄ８＝Ｉ２，２、Ｄ９＝Ａ１、Ｄ１０＝Ａ２、Ｄ１１＝Ａ３、Ｄ１２＝Ａ４、Ｄ１３＝Ａ５、Ｄ１４＝Ａ６、Ｄ１５＝Ａ７、の対応付けを行って出力することである。
【００５７】
尚、本実施形態では、具体的な数字を示して説明を行ったが、他の数字の場合も実施可能である。
【００５８】
（第２の実施形態）
本発明の第２の実施形態について、図７を用いて説明する。
【００５９】
図７は、図３に示す受信部６に対して、さらにイレイザーコード部４０が追加されたブロック構成である。その他の構成については、第１の実施形態と同様であり、説明を省略する。
【００６０】
相関部２１は、軟判定系列Ｂと復号ビート群Ａに加えて、相関係数δ（δ＝δ０乃至δｎ−１）をイレイザーコード部４０に出力する。相関係数δは、２ｎのビット数を有する２進情報ビット系列である。
【００６１】
イレイザーコード部４０は、相関係数δを基に、ある閾値を決めて消失箇所を特定し、消失分ε（ε＝ε０，０乃至εｎ−１，ｑ−１）を出力する。尚、消失箇所の特定は、試行錯誤を繰り返して特定するものである。尚、ε＝ｒ−ｑの関係を満たす。
【００６２】
復号部２２は、イレイザーコード部４０から出力された消失分εを基に、訂正箇所を特定し、軟判定系列Ｂを復号する。
【００６３】
本実施形態では、第１の実施形態にイレイザーコード部４０を加えている。ＲＳ符号の訂正可能シンボル数は誤りよりも消失の方が多いので、本実施形態では、第１の実施形態に比べて訂正可能なシンボル数が増加する。従って、第１の実施形態と同一のＲＳ符号を用いても、コ−ド選択の誤りを第１の実施形態よりも軽減できる。
【００６４】
（第２の実施形態の具体例）
図８は、図７に示す実施形態に、（７，３）ＲＳイレイザーデコーディングを用いた場合の実施形態を示した図である。
【００６５】
イレイザーコード部４０が加わっている以外は、第１の実施形態の具体例と同様であり、説明を省略する。
【００６６】
相関部２１は、相関係数δ（δ＝δ０乃至δ６）をイレイザーコード部４０に出力する。
【００６７】
イレイザーコード部４０は、相関係数δ０を基に、消失分ε０＝（ε０，０、ε０，１、ε０，２）を出力する。以下、同様に、相関係数δ１に対してε１＝（ε１，０、ε１，１、ε１，２）を、相関係数δ２に対してε２＝（ε２，０、ε２，１、ε２，２）を、相関係数δ３に対してε３＝（ε３，０、ε３，１、ε３，２）を、相関係数δ４に対してε４＝（ε４，０、ε４，１、ε４，２）を、相関係数δ５に対してε５＝（ε５，０、ε５，１、ε５，２）を、相関係数δ６に対してε６＝（ε６，０、ε６，１、ε６，２）を出力する。
【００６８】
尚、本実施形態では、具体的な数字を示して説明を行ったが、他の数字の場合も実施可能である。
【００６９】
（その他の実施形態）
本実施形態では、符号化部１１としてＲＳ符号化を用いたが、他の誤り訂正符号化でも構わない。
【００７０】
逆高速フーリエー変換、及び高速フーリエー変換を用いたが、アプリケーションによってその他の実施例も可能である。
【００７１】
上記のように、本発明は第１及び第２実施形態によって記載したが、この開示の一部を
なす論述及び図面はこの発明を限定するものではない。この開示から当業者には様々な代替実施形態、実施例及び運用技術が明らかとなろう。
【００７２】
このように本発明は、ここでは記載していない様々な実施形態等を包含するということ
を理解すべきである。したがって、本発明はこの開示から妥当な特許請求の範囲の発明特
定事項によってのみ限定されるものである。
【図面の簡単な説明】
【００７３】
【図１】本発明の第１の実施形態を示す無線送受信装置。
【図２】第１の実施形態の送信部のブロック構成。
【図３】第１の実施形態の受信部のブロック構成。
【図４】受信部の相関部のブロック構成。
【図５】第１の実施形態の送信部の具体構成。
【図６】第１の実施形態の受信部の具体構成。
【図７】第２の実施形態の受信部のブロック構成。
【図８】第２の実施形態の受信部の具体構成。
【符号の説明】
【００７４】
１  …  データ処理部
２  …  送受信部
３  …  ＲＦ部
４  …  アンテナ
５  …  送信部
６  …  受信部
１０  …  シリアルパラレル変換部
１１  …  符号化部
１２  …  コード選択部
１３  …  拡散部
１４  …  逆高速フーリエー変換部
２０  …  高速フーリエー変換部
２１  …  相関部
２２  …  復号部
２３  …  パラレルシリアル変換部
２５  …  サブ相関部
２６  …  データ変換部
４０  …  イレイザーコード部
【図１】
2008085870.tif 000003
【図２】
2008085870.tif 000004
【図３】
2008085870.tif 000005
【図４】
2008085870.tif 000006
【図５】
2008085870.tif 000007
【図６】
2008085870.tif 000008
【図７】
2008085870.tif 000009
【図８】
2008085870.tif 000010